(57)【要約】      （修正有）【課題】既設の波形スレート板屋根材の上に、これを覆う新しい金属板屋根材をクランプ金具を介して作業性よく取付けること。【解決手段】クランプ金具として、複数の爪状突起からなるプッシュナット６３が一体に形成されるとともに長溝状のねじ穴６４が形成されたステンレス鋼板またはばね鋼板製のクランプ金具６を用い、プッシュナット６３にスレート板屋根材１の山部１１から突出する既設のフックボルト３の上端を貫通させてクランプ金具６を押し込んで、これを山部１１に固定し、このようにして固定された、複数のクランプ金具６に長尺の金属屋根下地材７を架設して下地材７を貫通させ上記ねじ穴６４にタッピングネジ８ａをねじ込んで下地材７を固定し、このようにして固定された複数の下地材７に金属板屋根材４を載置固定する。【選択図】図３
2007016537.tif 000002
【特許請求の範囲】
【請求項１】
既設の波形スレート板屋根材に、これを覆う新しい波形金属板屋根材を設置する屋根補修工法であって、
上記スレート板屋根材の山部に上記金属板屋根材を支持するクランプ金具を設置し、
上記クランプ金具として、上記山部をその長手方向に沿って上から覆う平板状の座面部と、該座面部の長手方向の両端から下方へ延び下端を上記山部の断面形状に沿う湾曲形状とした脚部を備え、上記座面部には長手方向中央部にプッシュナットを一体に形成するとともに、上記プッシュナットを挟んでその両側にねじ部材を螺入せしめる長溝状のねじ穴を形成したクランプ部材を用い、
上記山部から突出する既設のフックボルトの上端を上記プッシュナットに貫入せしめて上記クランプ金具を上記山部に押し込み、上記脚部で上記山部に支持せしめるとともに、上記プッシュナットを上記フックボルトの上端に係止せしめて上記クランプ金具を上記スレート板屋根材に固定し、
上記スレート板屋根材の複数の山部に固定した上記クランプ金具の座面部に、該座面部と直交させ、該座面部のプッシュナットから上方へ突出する上記フックボルトの上端を跨いで断面ハット形の長尺の金属屋根下地材を架設し、ねじ部を上記下地材の両側縁のフランジ部から上記クランプ金具の上記ねじ穴へと螺入せしめて上記下地材を上記クランプ金具に固定し、
固定された上記下地材の上に上記金属板屋根材を載置固定することを特徴とする屋根補修工法。
【請求項２】
上記クランプ金具は、ばね鋼板またはステンレス鋼板からなり、上記プッシュナットは、上記座面部から切り起した複数の爪状の突起がリング状に配列する構造を有し、上記ねじ穴は、上記座面部の幅方向中央を直線状に延びる長溝状に形成するとともに、長さを、上記下地材を上記クランプ金具に載置したときに端部が上記下地材の側縁よりも外方へ延出する長さとした請求項１に記載の屋根補修工法。
【請求項３】
上記クランブ金具は、その幅を上記スレート板屋根材の山部の上端部のみを覆う幅とした請求項１または請求項２に記載の屋根補修工法。
【発明の詳細な説明】
【技術分野】
【０００１】
本発明は、工場等の老朽化した既設の波形スレート板屋根材をとり壊し撤去することなく、その上に新しい金属板屋根材を設置する屋根補修工法に関するものである。
【背景技術】
【０００２】
大型工場、倉庫、体育館等のスレート屋根材が古くなったとき、これを撤去して新しい屋根材を設置すると、工事期間中、建物の使用が不可能となる。そこで、既設の屋根材を撤去することなく、その上に新しい屋根材を重ねて設置することが行われている。
【０００３】
この場合、既設のスレート板屋根材の上に新しい金属板屋根材を重ね合せ、上から長いドリルタッピングねじを金属板屋根材からスレート板屋根材へと貫通させ、ねじ先端をスレート板屋根材を支持する母屋に締め付けて固定する工法では、建物内に施工くず、ごみ等が落下する。このため、操業中の工場や使用中の倉庫、体育館等に落下物防止用のテントを張るなど、大がかりな養生が必要となる。しかもドリルタッピングねじ等による穴あけや締め付けで、老朽化した既設のスレート板屋根材に割れ、ひび、欠けなどが生じることがある。
【０００４】
そこで、既設のスレート板屋根材に穴あけを行うことなく新しい金属板屋根材を設置することができる屋根補修工法が提案され、実施されている。例えば下記特許文献１の工法は、クランプ金具を介して既設の波形のスレート板屋根材の上に新しい金属屋根材を設置するもので、クランプ金具として、金属板からなる断面ほぼ箱形で、上面部を新しい波形の金属板屋根材の山部に沿う断面形状とし、底面部を既設のスレート板屋根材の山部に沿う断面形状とし、底面部にはその端縁に開口する切り欠きを形成したクランプ金具を用い、クランプ金具をスレート板屋根材の山部に沿わせて打ち込んで、その切欠きを上記山部から突出する既設のフックボルトに設けたナットの座金と既設屋根材の山部との間の隙間からフックポルト軸まわりに嵌入させてクランプ金具をその中にフックボルトの上端を収納した状態でスレート屋根材の山部に固定し、このようにして固定された多数のクランプ金具の上に新しい金属板屋根材を載置し、これをドリルタッピングねじ等によりクランプ金具にねじ締め固定するものである。
【０００５】
また下記特許文献２の工法では、クランプ金具として、断面形状がスレート屋根材の山部を跨ぐほぼ門形で、上記山部を覆う座面部の中間部に段差を設けて左右の一方を上段座面部、他方を下段座面部として下段座面部に貫通穴を設けたクランプ金具を用い、スレート板屋根材の山部を跨いで左右の脚部により山部の両側の谷部に支持せしめ、このとき上記下段座面部の貫通穴に山部から突出する既設のフックボルトの上端を挿通させ、下段座面部から突出するフックボルトの上端のねじ軸に複数の爪状の突起を形成したプッシュナットを押し込み左右の脚部がスレート板屋根材の谷部に押し付けられた状態でプッシュナットをフツクボルト上端のねじ軸に係止せしめることにより、クランプ金具をスレート板屋根材に固定し、このようにして固定された多数のクランプ金具に長尺の金属板屋根下地材を架設し、該下地材の上に新しい金属板屋根材を載置固定するものである。
【特許文献１】特許第２９０７４２２号公報
【特許文献２】特許第３６５５２７０号公報
【発明の開示】
【発明が解決しようとする課題】
【０００６】
上記特許文献１，２の工法では、いずれも既設のスレート板屋根材に穴あけ加工を行なわないから、施工くずや大きなちりは発生しない。しかしながら、特許文献１の工法では、クランプ金具を打ち込みにより取付けるため、多少のちりやほこりの発生は避けられない。かつ、クランプ金具打ち込み時の打音が建物の使用者の耳ざわりとなる、という問題がある。
【０００７】
特許文献２の工法では、クランプ金具を取付ける際に打音はなく、ちり、ほこりの発生は微少ではあるが、クランプ金具はスレート板屋根材の山部を跨いで左右の脚部を山部の左右両側の谷部に立てる構造であるので、特許文献１のクランプ金具よりも幅が広くなり（１３０ｍｍ程度）、また高さも上記谷部の底から山部の頂端を越えた高さ（６０ｍｍ程度）となって全体が大型となる。また、座面の上段座面部に屋根下地材を載設したときのクランプ金具の安定性から、座面の段差の高さは大きく設定できないので（１０〜１５ｍｍ程度）、下段座面部の貫通孔から突出するフックボルトの先端が上段座面部を越えた高さとなるため、越えた分を切除する作業が必要となる、という問題点がある。
【０００８】
そこで本発明は、既設のスレート屋根材にこれを覆う新しい金属板屋根材をクランプ金具を介して設置する屋根補修工法において、小型、軽量のクランプ金具を用い、ちり、ほこりの、騒音を発生させることなく、作業性良好にクランプ金具や新規の金属板屋根材を取付けることができる屋根補修工法を提供することを課題としてなされたものである。
【課題を解決するための手段】
【０００９】
本発明は、既設の波形スレート板屋根材に、これを覆う波形金属板屋根材を設置する屋根補修工法であって、上記スレート板屋根材の山部に上記金属板屋根材を支持するクランプ金具を設置し、上記クランプ金具として、上記山部をその長手方向に沿って上から覆う平板状の座面部と、該座面部の長手方向の両端から下方へ延び下端を上記山部の断面形状に沿う湾曲形状とした脚部を備え、上記座面部には長手方向中央部にプッシュナットを一体に形成するとともに、上記プッシュナットを挟んでその両側にねじ部材を螺入せしめる長溝状のねじ穴を形成したクランプ部材を用い、上記山部から突出する既設のフックボルトの上端を上記プッシュナットに貫入せしめて上記クランプ金具を上記山部に押し込み、上記脚部で上記山部に支持せしめるとともに、上記プッシュナットを上記フックボルトの上端に係止せしめて上記クランプ金具を上記スレート板屋根材に固定し、上記スレート板屋根材の複数の山部に固定した上記クランプ金具の座面部に、該座面部と直交させ、該座面部のプッシュナットから上方へ突出する上記フックボルトの上端を跨いで断面ハット形の長尺の金属屋根下地材を架設し、ねじ部を上記下地材の両側縁のフランジ部から上記クランプ金具の上記ねじ穴へと螺入せしめて上記下地材を上記クランプ金具に固定し、固定された上記下地材の上に上記金属板屋根材を載置固定することを特徴とする（請求項１）。
【００１０】
本発明の工法に用いるクランプ金具は、プッシュナットを一体に備えており、スレート板屋根材の山部から突出する既設のフックボルトの上端をプッシュナットに貫入させて押し込むだけで作業性容易、かつ騒音やごみ、ちりを発生させることなくスレート板屋根材に固定することができる。かつクランプ金具は、スレート板屋根材の山部の上に固定するものであるからスレート板屋根材の谷部に支持せしめるクランプ金具に比べ幅および高さともに小型となる。また、金属屋根下地材は断面ハット形であるので、クランプ金具から突出するフックボルトの上端は、下地材内に収納され得るから切除する必要はない。またクランプ金具にはねじ穴が形成されているから、下地材を貫通させたねじ部材のクランプ金具へのねじ込みが容易である。
【００１１】
また本発明の、上記クランプ金具は、ばね鋼板またはステンレス鋼板からなり、上記プッシュナットは、上記座面部から切り起した複数の爪状の突起がリング状に配列する構造を有し、上記ねじ穴は、上記座面部の幅方向中央を直線状に延びる長溝状に形成するとともに、長さを、上記下地材を上記クランプ金具に載置したときに端部が上記下地材の側縁よりも外方へ延出する長さとしたクランプ金具を用いる（請求項２）。
【００１２】
強いばね弾性を有するプッシュナットを一体に備えたクランプ金具は作業性よく、かつ強固にスレート板屋根材に固定することができる。またクランプ金具のねじ穴は、長溝状で、かつ金属屋根下地材をクランプ金具に載置したときに端部が目視できるから、下地材へのねじ立て位置を容易にクランプ金具のねじ穴に合わせることができ、下地材の固定作業性が向上する。
【００１３】
上記クランプ金具はその幅を上記スレート板屋根材の山部の上端部のみを覆う幅とする（請求項３）。クランプ金具はスレート板屋根材に強固に固定され得るから、上記山部のみを覆う細幅でも安定に金属屋根下地材を支持することができる。
【発明を実施するための最良の形態】
【００１４】
図１は本発明の工法による補修屋根の分解斜視図、図２はクランプ金具の拡大斜視図、図３はクランプ金具に金属屋根下地材が固定された状態を示す斜視図、図４は本発明の工法により補修された屋根の要部断面図である。
【００１５】
図１に示すように、既設の波形のスレート板屋根材１は、母屋２に載置され、下端が母屋２に係合し上端がスレート屋根材１の山部１１を貫通して上方へ突出するフックボルト３の上端にナット座金５１およびパッキン５２（図４）を介してナット５０を締め込むことで母屋２に固定されている。
【００１６】
新規の波形の金属板屋根材４は、スレート板屋根材１の上にクランプ金具６を固定し、クランプ金具６の上に金属屋根下地材７を設置し、この下地材７上に設置してある。
【００１７】
クランプ金具６は、厚さ０．８〜０．９ｍｍ程度のステンレス鋼板またはばね鋼板を加工成形したもので、図１および図２に示すように長方形状の座面部６１と、その両端の脚部６２とからなる。座面部６１はスレート板屋根材１の山部１１の上端部をその長さ方向に沿って覆う幅ほぼ４０ｍｍ程度、長さほぼ１２０ｍｍ程度の平板で、脚部６２は座面部６１の長さ方向の両端から鈍角状に屈曲して下方へ延び下端は上記山部１１の上端部の断面形状に沿う湾曲形状としてある。湾曲形状の下端には、水平方向に張り出すフランジ６２０が形成してある。脚部６２の幅方向中心部の高さは２０〜２５ｍｍ程度としてある。
【００１８】
座面部６１の長さ方向の中央にはプッシュナット６３が一体に形成してある。プッシュナット６３は、座面部６１の中央が椀形に膨出しており、膨出部には、座面部６１を切り起して中心に向け、斜め上方へ突出する複数の爪状の突起６３１がリング状に配列する構造としてある。また、座面部６１にはプッシュナット６３を介してその長さ方向両側にねじ穴６４が形成してある。ねじ穴６４は長溝状で、座面部６１の幅方向中央を直線状に延びるスリットの対向側縁を斜め下方へ折り曲げた形状としてある。
【００１９】
クランプ金具６は、例えば両側の脚部６２を含む長方形状のステンレス鋼板またはばね鋼板に、打ち抜きで上記突起６３１と、直線状の上記スリットを形成し、プレス加工で上記脚部６１、プッシュナット６２およびねじ穴６４を一体に成形することにより得られる。
【００２０】
クランプ金具６は、既設のスレート板屋根材１の山部１１に、フックボルト３が突出する位置で取付けられる。取付けは図１に示すように上記山部１１から突出するフックボルト３の上端のねじ軸３１をプッシュナット６３に下から貫入させ、クランプ金具６を下方へ押し込んで両脚部６２の湾曲状の下端を山部１１に当接させ、更に座面部６１を撓ませつつプッシュナット６３を形成した座面部６１の中心部をフックボルト３のナット５０に当接するまで押し込む。中心部の押し込みは、下端がプッシュナット６３を囲む円筒状で、上端にハンドルを設けた工具によりなされる。これによりクランプ金具６は、その脚部６２が山部１１に強く押し付けられた状態でプッシュナット６３によりフックボルト３の上端のねじ軸３１に係止され、スレート板屋根材１に強固に固定される。
【００２１】
このようにしてクランプ金具６を、スレート板屋根材１の山部１１の数列おきに、かつ山部１１と直交する方向で直線位置に配列固定される。そして配列するクランプ金具６には、これらにかけ渡すように金属屋根下地材７を配置する。
【００２２】
上記下地材７は断面ハット形の長尺体で、上面７１は平面状で幅方向両側縁にはフランジ部７２が張り出している。
【００２３】
図３に示すように下地材７は、各クランプ金具６の座面部６１と直交して座面部６１から突出するフックボルト３の上端を跨ぎ、両側のフランジ部７２が長溝状のねじ穴６４が形成された座面部６１の両側部分に載置される。そして、上記フランジ部７２に上からタッピングねじ８ａをねじ込み、，ねじ８ａの先端をクランプ金具６のねじ穴６４に螺入せしめて下地材７をクランプ金具６に固定する。
【００２４】
この場合、長溝状の上記ねじ穴６４の長さおよび下地材７の幅は、下地材７をクランプ金具６に載置したときにねじ穴６４の端部６４１が下地材７の側縁よりも外側に延出して目視可能に設定してあり、下地材７のフランジ部７２へのタッピングねじ８ａのねじ込み位置は容易に決定され得る。また下地材７はその高さを２５ｍｍ程度に設定すれば、フックボルト３の上端はこれを切除することなく、下地材７内に収納可能である。
【００２５】
このようにしてクランプ金具６上に固定されて互いに平行に配列する複数本の下地材７上に波形の金属屋根材４を載置固定する。固定は図４に示すように、金属板屋根材４の山部４１の上から下地材７へ長いドリルタッピングねじ８ｂをねじ込むことにより行なう。この場合、ドリルタッピングねじ８ｂの頭部と山部１１との間に座金８１を介在させる。
【００２６】
上記の屋根補修工法においては、用いるクランプ金具６はスレート板屋根材１の山部１１に沿いその上端部に取付けるのであるから幅が狭くてすみ、小型軽量である。またクランプ金具６はプッシュナット６３を一体に備えているから、プッシュナット６３にスレート板屋根材１から突出するフックボルト３の上端を貫入させて押し込むだけで作業性よくスレート板屋根材１に載設することができる。この場合、クランプ金具６をばね鋼板またはステンレス鋼板で構成することで、クランプ金具６のフックボルト３への係止は強固になされ得る。ばね鋼板およびステンレス鋼板は高硬度材ではあるが、あらかじめねじ穴６４を形成しておけば、下地材７からねじ込んだタッピングねじ８ａの先端を容易に螺入せしめることができる。
【００２７】
またねじ穴６４は直線状に延びる長溝状に形成してあり、かつねじ穴６４の端部６４１はクランプ金具６上に載置された下地材７の側端縁から露出して目視できるので、タッピングねじ８ａのねじ込み位置の決定およびねじ込み作業が極めて容易になされ得る。そして、このようにクランプ金具６の取付作業性の容易化に伴い、クランプ金具６取付け時の騒音やちり、ほこりの発生量は従来よりも一層少なくなる。
【図面の簡単な説明】
【００２８】
【図１】本発明の工法による補修屋根の分解斜視図である。
【図２】クランプ金具の拡大斜視図である。
【図３】クランプ金具上に金属板屋根下地材が固定された状態を示す斜視図である。
【図４】本発明の工法により補修された屋根の図３のＩＶ−ＩＶ線に沿う位置での要部断面図である。
【符号の説明】
【００２９】
１  スレート板屋根材
１１  山部
２  母屋
３  フックボルト
４  金属板屋根材
６  クランプ金具
６１  座面部
６２  脚部
６３  プッシュナット
６３１  爪状突起
６４  長溝状ねじ穴
７  金属屋根下地材
８ａ，８ｂ  タッピングねじ
【図１】
2007016537.tif 000003
【図２】
2007016537.tif 000004
【図３】
2007016537.tif 000005
【図４】
2007016537.tif 000006